(57)【要約】      （修正有）【課題】店頭、売り場環境に応じて広告表示体の表示態様及び表示内容を可変的に差し替え可能な広告表示用什器を提供する。【解決手段】伸縮可能な底部幅部材１１を有する本体台座部１と、同じく幅方向に伸縮可能な頂部幅部材２２を有する本体上部２とが、支柱受部材１３及び支柱部材２１により伸縮可能な支柱を構成する。支柱部材の上端部近傍、及び前記支柱受部材の下端部近傍のそれぞれに、広告表示用什器の厚み方向に突起する突起部材３ａ、３ｂ、３ｃ、３ｄを備えている。【選択図】図１
2014032333.tif 000002
【特許請求の範囲】
【請求項１】
幅方向に伸縮可能な一又は複数の底部幅部材（11）、及び該底部幅部材の両端部において接合されている２本の脚部材（12）、及び該２本の脚部材からそれぞれ鉛直方向に屹立する２本の支柱受部材（13）から構成される本体台座部（1）と、
前記２本の支柱受部材に挿入されることで、該支柱受部材とともに伸縮可能な２本の支柱を構成する２本の支柱部材（21）、及び該２本の支柱部材の、前記支柱受部材に挿入される端部と他方の端部又はその近傍において該支柱部材と連結され、幅方向に伸縮可能な頂部幅部材（22）とから構成される本体上部（2）とからなる広告表示用什器であって、
少なくとも前記支柱部材の上端部近傍、及び前記支柱受部材の下端部近傍のそれぞれに、広告表示用什器の厚み方向に突起する突起部材（3a,3b,3c,3d）を備えている
ことを特徴とする、広告表示用什器。
【請求項２】
前記支柱部材及び前記支柱受部材の各々対向する内側面に、板状物を挟持可能な挟持溝（41,42）が形成されていることを特徴とする、請求項１に記載の広告表示用什器。
【請求項３】
前記頂部幅部材、及び前記本体台座部に、布状物を着脱可能に固定する固定部材（8）が備えられていることを特徴とする、請求項１又は請求項２のいずれか１に記載の広告表示用什器。
【請求項４】
前記伸縮可能な底部幅部材及び頂部幅部材が、径の異なるパイプが挿通することで伸縮可能に構成されていることを特徴とする、請求項１から請求項３のいずれか１に記載の広告表示用什器。
【請求項５】
前記伸縮可能な底部幅部材及び頂部幅部材が、各々関節機構（7b,7t）を有しており、該関節機構が該広告表示用什器の内側に折り込まれることにより伸縮可能に構成されていることを特徴とする、請求項１から請求項３のいずれか１に記載の広告表示用什器。
【請求項６】
前記脚部材の各端部（81,82,83,84）が収納可能に構成されていることを特徴とする、請求項１から請求項５のいずれか１に記載の広告表示用什器。
【発明の詳細な説明】
【技術分野】
【０００１】
本発明は、道路、店頭、集会場の出入り口などに広告表示体を起立表示させる広告表示用什器であって、ＴＰＯ等に応じて広告表示体の表示態様及び表示内容を可変的に差し替え可能な広告表示用什器に関する。
【背景技術】
【０００２】
従来から、道路や店頭などでの店舗看板や商品案内のための広告表示装置として立て看板が用いられていた。立て看板は土地に定着しておらず移動が可能であり、往来を遮らず広告効果の高い場所に機動的に配置できる、という利点があった。
【０００３】
しかし、立て看板の多くは、広告表示部とこれを立てて表示するための足部とが一体的かつ固定的に構成されているため、新たな広告表示を行うためには都度作り替えなければならず、非経済的であった。また当然ながら一度作成した広告表示用什器での広告表示体の掲示態様は単一かつ定型であり、季節や場面等に応じたバリエーションをもたせることができず、看者の注意を惹くという広告本来の機能において弱みがあり、また運搬に必ずしも至便とはいえなかった。
【０００４】
こうした旧来の立て看板の問題点を解消すべく、特許文献１においては、運搬及び移動が容易であるとともに表示物を表示する部分における面積を比較的容易に変更することができ、かつその表示物の取り換えが比較的容易な起立式表示装置として、第１表示板とその上端に上端が枢支された第２表示板とを備え、第１表示板の下端に幅方向に設けられ両端に一対の第１車輪が枢支された第１軸と、第２表示板の下端に幅方向に設けられ両端に一対の第２車輪が枢支された第２軸と、第１及び第２軸を所定の間隔に固定する固定部材とを備え、第１及び第２表示板が互いに外側に膨出するように湾曲して形成され、第１及び第２表示板のいずれか一方又は双方の表面に取付けられた表示パネル３１が表示物の周囲を把持可能に構成された縁部材を有し、第１及び第２表示板の両側部は折り返されて凹溝が形成された起立式表示装置が開示されている。
【先行技術文献】
【特許文献】
【０００５】
【特許文献１】特開２００４−  ２０９０３
【発明の概要】
【発明が解決しようとする課題】
【０００６】
しかし、特許文献１に記載の起立式表示装置では、表示物を表示する部分における面積を変更することが可能ではあっても、単一の表示装置によって複数の態様の広告表示体の掲示を行うことはできず、立体的な外観として顕著な魅力を発揮することはできなかった。
【課題を解決するための手段】
【０００７】
そこで、上記課題を解決すべく、本発明に係る広告表示用什器は設置環境に合わせた変化を可能とすべく、下記の特徴を有する。
【０００８】
（１）幅方向に伸縮可能な一又は複数の底部幅部材、及び該底部幅部材の両端部において接合されている２本の脚部材、及び該２本の脚部材からそれぞれ鉛直方向に屹立する２本の支柱受部材から構成される本体台座部と、前記２本の支柱受部材に挿入されることで、該支柱受部材とともに伸縮可能な２本の支柱を構成する２本の支柱部材、及び該２本の支柱部材の、前記支柱受部材に挿入される端部と他方の端部又はその近傍において該支柱部材と連結され、幅方向に伸縮可能な頂部幅部材とから構成される本体台座部とからなる広告表示用什器であって、少なくとも前記支柱部材の上端部近傍、及び前記支柱受部材の下端部近傍のそれぞれに、広告表示用什器の厚み方向に突起する突起部材を備えていることを特徴とする、広告表示用什器（請求項１）。
【０００９】
（２）前記支柱部材及び前記支柱受部材の各々対向する内側面に、板状物を挟持可能な挟持溝が形成されていることを特徴とする、（１）に記載の広告表示用什器（請求項２）。
【００１０】
（３）前記頂部幅部材、及び前記本体台座部に、布状物を着脱可能に固定する固定部材（8）が備えられていることを特徴とする、（１）又は（２）のいずれか１に記載の広告表示用什器（請求項３）。
【００１１】
なお、底部幅部材及び頂部幅部材の伸縮可能な構成としては、径の異なる一方のパイプが他方に挿通することで伸縮可能に構成されていてもよく（請求項４）、また底部幅部材及び頂部幅部材が、各々関節機構を有しており、該関節機構が該広告表示用什器の内側に折り込まれることにより伸縮可能に構成されていてもよい（請求項５）
【００１２】
更には、脚部材の各端部が収納可能に構成されていてもよい（請求項６）。これにより運搬、移動の際の梱包の手間が大きく軽減されうる。
【発明の効果】
【００１３】
本発明に係る広告表示用什器によれば、内部構造体の高さ・幅を変更することにより広告表示される面積を適宜拡大ないし縮小することが可能である。更に、単一の広告表示用什器によって複数の異なる場面に適用することが可能となり使い勝手の良い広告表示体を提供することが可能となる。
【００１４】
更には表示部の表示態様、広告表示体の形状についても、スリーブ形状、パネル形状、ボード形状、タペストリー形状の各形状に対応可能であり、立体的な外観形状についても単一の表示体をもってバリエーションを実現することができ、コスト削減、環境に配慮した表示体であるばかりか、新味を持った広告表示をもって看者の視線を惹きつけることができる。
【図面の簡単な説明】
【００１５】
【図１】本発明の一実施例に係る広告表示用什器（以下、単に「広告表示用什器」という。）の縮小時における正面図である。
【図２】広告表示用什器の縮小時における右側面図である。
【図３】図１におけるＡ−Ａ端面図である。
【図４】広告表示用什器の延長時における平面図である。
【図５】広告表示用什器の延長時における右側面図である。
【図６】広告表示用什器の延長時における底面図である。
【図７】図４におけるＢ−Ｂ端面図及び部分拡大図である。
【図８】図４におけるＣ−Ｃ端面図である。
【図９】第一の使用例（スリーブ形状の広告表示体）を示した斜視図である。
【図１０】第二の使用例（パネル形状の広告表示体）を示した斜視図である。
【図１１】第三の使用例（タペストリー形状の広告表示体）を示した斜視図である。
【図１２】本発明の他の実施例に係る広告表示用什器の正面図である。
【図１３】本発明の他の実施例に係る広告表示用什器の縮小時における正面図である。
【発明を実施するための形態】
【００１６】
以下、図面を参照しながら本発明の具体的な実施形態につき説明する。
【００１７】
図１は本発明の一の実施例に係る広告表示用什器Ｆ１の、縮小時における正面図であり、図２はその右側面図であり、図３は図１におけるＡ−Ａ端面図である。また図４は広告表示用什器Ｆ１を延長させた状態における平面図であり、図５はその右側面図であり、図６はその底面図である。広告表示用什器Ｆ１は、本体台座部１と本体上部２とで構成される。本体台座部１は、底部幅部材１１、脚部材１２、支柱受部材１３により構成されている。本体上部２は、支柱部材２１及び頂部幅部材２２により構成されている。
【００１８】
底部幅部材１１、脚部材１２、支柱受部材１３、支柱部材２１、頂部幅部材２２はいずれも、ステンレス製の角柱パイプにより構成されており、底部幅部材１１、頂部幅部材２２はいずれも一方が他方に挿通する、径サイズの異なる２本の角柱パイプにより構成されており、挿通する深さによって各部材の長さを調整することが可能である。底部幅部材調整機構ｓｂ、頂部幅部材調整機構ｓｔはそれぞれ螺子回し式のビスであり、外径パイプの外側から内径パイプに多段階に設けられた差し込み穴に挿入し締め付けることにより、各部材の幅が固定される。
【００１９】
なお図６にあるように、本実施例において底部幅部材１１は平行する一対の部材からなり、各々が一方の角柱パイプを他方の角柱パイプに挿通するように構成されているが、通常掲示する広告表示体の態様、大きさ、重量などに応じてより多くの角柱パイプにしてもよく、逆に１本でもよい。またパイプの形状も角柱に限られるものではなく、円柱、多角柱その他形状も限定されない。材質もステンレス製に限られず、アルミ製、真鍮製などの金属製のほか、これに塩化ビニールを被覆させたもの、ＰＰ、ＰＥＴなどのプラスチック製でも良い。
【００２０】
図６から明らかなように、底部幅部材１１の両端部には、各々これと直交する向きで脚部材１２が接合されている。脚部材１２は、広告表示用什器Ｆ１を安定して起立させる役割を果たす。
【００２１】
図１に戻り、脚部材１２からは概ねその中間部分から鉛直方向に向かって支柱受部材１３が屹立している。この支柱受部材１３のパイプ径は支柱部材２１のパイプ径より大きく、支柱部材２１が支柱受部材１３に挿通することにより、本体台座部１と本体上部２とが組み合わさり、広告表示用什器Ｆ１を構成する。広告表示用什器Ｆ１の高さも、各幅部材同様に、支柱部材２１が支柱受部材１３に挿通する深さによって調整することが可能であり、その固定についても支柱長さ調整機構ｓｐにより固定され調整される。
【００２２】
本体上部２は、２本の支柱部材２１と、この支柱部材２１が支柱受部材１３に挿入される端部と他方の端部又はその近傍、つまり広告表示用什器Ｆ１使用時の上方端又はその近傍において連結されている頂部幅部材２２とにより構成される。支柱部材２１と頂部幅部材２２との連結方法は限定されず、溶接、ねじ止め、嵌合その他任意の方法で固定されていればよい。
【００２３】
図２にあるように、広告表示用什器Ｆ１には、広告表示体が表示される表示面の厚み方向に突起した突起部材３ａ，３ｂ，３ｃ，３ｄが設けられている。突起部材３ａ，３ｂ，３ｃ，３ｄは、金属製の線材であり、後述するスリーブ状の広告表示体を表示する際の固定具として機能する。
【００２４】
また、図１及び図３にあるように、支柱受部材１３及び支柱部材２１のそれぞれの内側に、鉛直方向に連続するように挟持溝４１，４２が設けられている。この挟持溝４１，４２は、支柱受部材１３及び支柱部材２１のそれぞれの内側面にアタッチされた断面コの字状の角柱により構成されている。図７及び図８に示すように、支柱受部材１３及び支柱部材２１のそれぞれの内側面にレール上の窪みが、互いに対向する位置に設けられることにより、当該窪み部分にパネル状の広告表示体を差し込んで挟持することができる。もっとも挟持溝４１，４２はこうした態様に限られず、例えば支柱受部材１３及び支柱部材２１の内側面を凹形状に加工した角柱を使用しても良い。
【００２５】
この図１ないし図３に示した状態においても広告表示体を固定して表示することができるが、既述の底部幅部材調整機構ｓｂ、頂部幅部材調整機構ｓｔ、及び支柱長さ調整機構ｓｐで調整することにより、広告表示用什器Ｆ１を延長させた状態で用いることもできる。図４から図６はその延長した状態を示した図である。広告表示用什器Ｆ１の幅及び高さを調整することができることにより、広告表示用什器Ｆ１の大きさは適宜設計することはできるが、縮小時において幅６００ｍｍ、高さ１５００ｍｍ程度、延長時において幅９００ｍｍ、高さ１８００ｍｍ程度まで調整できるようにすることで、運搬時の持ち運びやすさや梱包のしやすさを実現し、小さい広告表示から等身大カットアウトまでをも１台の什器により表示することが可能となる。
【００２６】
なお、脚部材１２は広告表示用什器Ｆ１の安定的設置のために、什器の厚み方向に一定程度の長さを有していることが望ましいが、端部が突出してしまうことにより運搬時の梱包に支障をきたすことがある。そこで端部についても同様な調整機構（図示しない）を設けることにより突出した端部を収納可能に構成することで、運搬時の利便性を更に向上させることができる。
【００２７】
次に、実際に広告表示体を表示した状態を図面で示しつつ説明する。図９は、スリーブ形状の広告表示体ａ１を表示した状態を示したものである。このスリーブ形状の広告表示体は、薄紙、厚紙、或いはＰＰ又はＰＥＴシートなど相対的に薄手の資材が材質として用いられる。スリーブ状の広告表示体は、一枚ものでもよく、また二枚あるいはそれ以上の組み合わせであっても良く、広告表示用什器Ｆ１に上から筒状に被せるように固定され掲示される。突起部材３ａ，３ｂ，３ｃ，３ｄによって内側から抑えられ、固定的に掲示することができる。このため別途紙脚を用意する必要がなく、簡便にスリーブ形状の広告表示体を掲示することが可能である。
【００２８】
この広告表示用什器Ｆ１によって、別の形状の広告表示体を掲示することもできる。図１０はパネル形状の広告表示体ａ２を表示した状態を示したものである。図７にて拡大表示した挟持溝４１，４２により固定的に掲示可能である。パネル形状の広告表示体ａ２は段ボール素材、樹脂素材、スチレン素材などで形成することができる。固定に当たっては、可撓性のある素材であれば撓ませつつ挟持溝に差し込んでも良く、或いは挟み込んだあと各幅部材調整機構により幅を狭めることで挟持させても良い。
【００２９】
さらにこの広告表示用什器Ｆ１は、他の形状の広告表示体を掲示することもできる。図１１はタペストリー形状の広告表示体ａ３を表示した状態を示したものである。この場合、固定方法は種々考えられるが、図示するように固定部材８を別途アタッチメントとして脚部材１２に固定し、これと頂部幅部材２２とで上下で張るように固定することが考えられる。もちろんこれに限られず、別途固定手段を取り付けることにより固定しても良い。
【００３０】
以上、一の実施例に係る広告表示用什器Ｆ１について説明してきたが、ここで別異の幅調整手段を有する他の実施例に係る広告表示用什器Ｆ２についても説明する。図１２に示す広告表示用什器Ｆ２は、底部幅部材１１及び頂部幅部材２２の略中央部に関節機構を有しており、什器の内側に各幅部材が折れ曲がるように構成されている。図１３は広告表示用什器Ｆ２を幅方向に縮めた状態を示した図である。この折れ曲がる角度を調整することにより、広告表示用什器Ｆ２の幅を調整することができる。
【産業上の利用可能性】
【００３１】
このように、一台で多様な大きさの広告表示、更には多様な形状の広告表示を換装可能に表示することができる本発明の広告表示用什器は、場所、場面、時期に応じた様々な広告表示を一台で適宜表示することができるから、都度看者の注意を惹く度合が高まり、有効な広告手段として機能する。それだけでなく、一台で複数通りの広告表示が可能になるため、広告コストを低減させることができ、更には資源の有効活用にもつながるなど、経済効率、資源効率を広告効果と両立させることができるという点で産業上の利用可能性は高い。
【符号の説明】
【００３２】
Ｆ１，Ｆ２        表示用什器
１                本体台座部
１１              底部幅部材
１２              脚部材
１３              支柱受部材
２                本体上部
２１              支柱部材
２２              頂部幅部材
３                突起部材
４（４１，４２）  挟持溝
５                固定部材
６（６ｂ，６ｔ）  関節機構
ｓｂ，ｓｐ        伸縮調整ボルト
ａ１              第１の広告表示体（スリーブボックス型表示体）
ａ２              第２の広告表示体（パネル型表示体）
ａ３              第３の広告表示体（タペストリー型表示体）
【図１】
2014032333.tif 000003
【図２】
2014032333.tif 000004
【図３】
2014032333.tif 000005
【図４】
2014032333.tif 000006
【図５】
2014032333.tif 000007
【図６】
2014032333.tif 000008
【図７】
2014032333.tif 000009
【図８】
2014032333.tif 000010
【図９】
2014032333.tif 000011
【図１０】
2014032333.tif 000012
【図１１】
2014032333.tif 000013
【図１２】
2014032333.tif 000014
【図１３】
2014032333.tif 000015